(57)【特許請求の範囲】
【請求項１】
スリーブ内中央に保留心線用トレイ４と、引き通し心線用トレイ５とを積層して配備し、その両側に接続用トレイ３を複数積層して設けると共に、前記保留心線用トレイ４と引き通し心線用トレイ４との上方にアダプタ８のあるアダプタ保持部材９を配備し、該アダプタ保持部材９において光ケーブルの各光回線路のアダプタ毎に対応した位置に、光回線の管理情報を記録、記録データの分配、保存、更新作業の管理を総合的に行ない読み書き可能なものであって、前記光ケーブル心線の回線データをディジタル化されたうえでパターン表示されている２次元コードまたはＲＦＩＤ素子７１からなる回線路識別用チップ７を配備し、該アダプタでの抜差自在の心線切替構造としたことを特徴とする光ケーブル接続切換用クロージャ。
【請求項２】
請求項１に記載の光ケーブル接続切換用クロージャにおいて、前記接続用トレイ３が光ケーブル心線を導出入する心線導出入部１０と、該心線導出入部１０から入る心線を支持する心線保持部１１と、該心線相互を接続したコネクタを収納するコネクタ収納部１２と、心線余長を巻回して収納する心線余長収納部１３とを備え、積層した各接続トレイ３をヒンジ部１４で回動自在に連結して配備してなることを特徴とする光ケーブル接続切換用クロージャ。
【請求項３】
請求項１または請求項２に記載の光ケーブル接続切換用クロージャにおいて、前記アダプタ保持部材９が中央を凸状に折り曲げた平板１５で構成し、該平板１５をヒンジ部１６で回動自在に支持部材１７に連結され、スリーブ６内の前記保留心線用トレイ４と引き通し心線用トレイ５上を開放できる構成としたことを特徴とする光ケーブル接続切換用クロージャ。
【発明の詳細な説明】
【０００１】
【発明の属する技術分野】
本発明は、通信ケーブル、特に光ファイバ心線を有する光ファイバケーブル（以下光ケーブル）の光回路設備において、ケーブル心線使用率および需要変動対応力を大幅に高める切換・配線機能を備えた光ケーブル接続切換用クロージャ、特にクロスコネクト用クロージャに関するものである。
【０００２】
【従来の技術】
従来、光ケーブルの分岐、引込、接続などを行う場合、クロージャ内においてケーブル心線相互を接続すると共に、該接続部と、ケーブル心線の余長分とを収納するための心線接続余長収納トレイを備えたクロージャが知られている。
このクロージャでは、心線幹線用光ケーブルの本線から引き出された光ファイバ心線同士或いは分岐用光ケーブルから引き出された心線とを接続するコネクタ等の接続部が収納され、さらに接続された心線の余長部分を巻回して保護収納する心線余長収納部とを備えたものとして接続機能専用クロージャ、或いはドロップ機能専用クロージャとして用いられている。
【０００３】
【発明が解決しようとする課題】
ところが、光ケーブルを用いた通信網では、光アクセス網の最適な配線形態とすることや、光アクセスサービスを迅速かつ安価に提供することが要請されているためと、光回線路設備の初期投資を最小化するために、クロージャでは極限まで高密度配線が施されているため配線管理の識別が難しく、見にくいものや、誤作業による信頼性がなくなったり、現場の状況によっては現場作業に適さなかったり、管理作業時間も掛かりすぎたりして問題があって、しかも顧客の要望に素早く対応できず、早期なサービス提供ができなかったり、光アクセス系設備の効率的な使用や経済的な使用が十分満足するものがない。
特に、ケーブルの高密度、多心化或いは伝送高速度化が進むにつれて、また通信競争の激化により需要の変動が大きく変化することも予想され接続分岐に伴う切換作業や配線整理がやりにくいし、さらには増設も簡単には対応できずコンパクト化できないといった問題が生じていて、アクセス系設備の効率的かつ経済的な使用ができないなど問題があった。
【０００４】
本発明は、これら従来の事情に鑑みてなされたものであり、光ケーブル配線の心線ごとの接続機能と切換機能とを統合して整理することができ、その収納並びに心線ごとの増減が簡単にでき増設も楽で、光ケーブルの光回線路設備の初期投資を軽減し、サービス需要の増加に効率的に対応していけ、心線の使用効率および需要変動対応力を大幅に高めることができる切換・配線機能を持った光ケーブル接続切換用クロージャとする。特に、高密度の配線をリアルタイムに素早く、簡単に読み取れ、その識別を容易にしてサービスオーダーから設計、施工、保守までの各工程の企画、管理の簡易化ができ、しかもアダプタの抜き差しによる簡易な操作で確実な心線切替えができるほか、光回線路設備の線番、ルート情報、接続／切換の接続履歴情報などの設備情報を現場でリアルタイムに更新管理でき、サービスの即応化、低コスト化とが図られるし、管理センターからのデータをもアクセスして設備情報などをアップデートすることも可能で、確実な切換・配線の施工を行えて、配線管理作業の信頼性も向上すると共に、配線識別にクロージャの外側からでも簡単に読み取れ、工事対応のクロージャを素早く捜し出すことも可能であり、管理作業時間の削減と、現場作業に適した作業が容易に実施できて施工性に優れ、きわめてコンパクトに接続部を収納することができる取扱い簡便な光ケーブル接続切換用クロージャを安価な形態で提供することを目的とするものである。
【０００５】
【課題を解決するための手段】
上述の課題を解決するために、この発明は、光ケーブル心線を導出入する心線導出入部と、該心線導出入部から入る心線を支持する心線保持部と、該心線相互を接続したコネクタを収納するコネクタ収納部と、心線余長を巻回して収納する心線余長収納部とを備えた接続用トレイと、保留心線用トレイと引き通し心線用トレイをスリーブ内に配備する光ケーブル接続切換用クロージャであって、光回線の管理情報を記録、記録データの分配、保存、更新作業の管理を総合的に行ない読み書き可能なもので前記光ケーブル心線の回線データをディジタル化されたうえでパターン表示されている２次元コードまたはＲＦＩＤ素子（Ｒａｄｉｏ  Ｆｒｅｑｕｅｎｃｙ  Ｉｄｅｎｔｉｆｉｃａｔｉｏｎ  Ｄｅｖｉｃｅ）からなる回線路識別用チップをスリーブ内に備えたアダプタのあるアダプタ保持部材における各回線路の心線のアダプタ毎に対応する位置に配備したことを特徴とする。
【０００６】
また、このケーブル接続切換用クロージャにおいて、前記接続用トレイは、複数を積層して各接続トレイをヒンジ部で回動自在に連結してなり、スリーブ内中央に積層して配備した前記保留心線用トレイと引き通し心線用トレイとの両側に設けると共に、保留心線用トレイと引き通し心線用トレイとの上方にアダプタ保持部材を配備してある。
【０００７】
さらに、本発明の光ケーブル接続切換用クロージャにおいては、前記アダプタ保持部材が中央を凸状に折り曲げた平板で構成され、ヒンジ部で回動自在に支持部に連結され、スリーブ内の前記保留心線用トレイと引き通し心線用トレイ上を開放できる構成としたことを特徴とし、接続配線作業が容易に実施できて施工性に優れ、心線ごとの接続機能と切換機能とを統合して整理することができ、その収納並びに心線ごとの増減が簡単にでき増設も楽で、きわめてコンパクトに接続部を収納することができる取扱い簡便で、信頼性のある光ケーブル接続切換用クロージャとしている。
【０００８】
【作用】
本発明の光ケーブル接続用クロージャは、光ケーブル心線を導出入して収納する接続用トレイと、保留心線用トレイと引き通し心線用トレイをスリーブ内に配備する光ケーブル接続切換用クロージャに、前記光ケーブル心線の回線データをディジタル化されたうえでパターン表示されている２次元コードまたはＲＦＩＤ素子からなる回線路識別用チップをスリーブ内のアダプタ保持部材で各光回線路のアダプタ毎に対応した位置に配備してあるので、回線路識別用チップを携帯端末によって読み書きして高密度の配線をリアルタイムに素早く、簡単に読み取れ光ケーブル配線の心線ごとの接続機能と切換機能とを統合して整理することができ、その収納並びに心線ごとの増減が簡単にでき増設も楽で、心線の使用効率および需要変動対応力を大幅に高めることができる。またこのスリーブ内のアダプタ保持部材に配備した回線路識別用チップは、光回線路設備の線番、ルート情報、接続／切換の接続履歴情報などの設備情報を現場でリアルタイムに更新管理でき、サービスの即応化、低コスト化とが図られるし、管理センターからのデータをもアクセスして設備情報などをアップデートすることも可能である。
そして、アダプタ保持部材に配備したアダプタの抜差自在の心線切替構造としたことによって簡易で、確実な心線切替えができるので、ユーザーの加入、移転など必要な回線として接続、切替え使用することができ、心線ごとの接続機能と切換機能とを統合して整理し、他の心線の接続作業や接続状況の点検、補修、確認、調整など作業をもきわめて容易に行うことができる。
【０００９】
【発明の実施の形態】
本発明の実施例を図面を用いて説明すると、図１に示す心線接続クロージャ１には、光ケーブルの幹線ケーブルａを導出入して支持するケーブル把持部２が備えられ、心線接続クロージャ１内に心線を導出入して収納する接続用トレイ３と、保留心線用トレイ４と引き通し心線用トレイ５をスリーブ６内に配備する光ケーブル接続切換用クロージャであって、前記光ケーブル心線の回線データをディジタル化されたうえでパターン表示されている２次元コードまたはＲＦＩＤ素子７１からなる回線路識別用チップ７をスリーブ６内に配備してクロスコネクト用クロージャとしてある。
【００１０】
この回線路識別用チップ７としては、マトリックス方式の２次元コードでデータをディジタル化されて角形のパターンに表現されているものまたは、外部から無線（電磁誘導）により特殊半導体メモリーチップに給電を行ない、所定のデータのリード／ライト動作をワイヤレスで行なうデバイスのＲＦＩＤ素子７１を用い、光回線の管理情報を記録、記録データの分配、保存、更新作業の管理を総合的に行ない読み書き可能なものの２次元コードまたはＲＦＩＤ素子７１からなる回線路識別用チップ７を、各回線路の心線の接続部となるアダプタ８毎に対応する位置にアダプタ保持部材９に配備する。
この場合、前記アダプタ８は、アダプタ保持部材９の凸状に折り曲げた側面壁に一段または複数段に並列して配備し、該アダプタ８に沿って配線されるラインに合わせた位置で上面壁の上に、前記回線路識別用チップ７を貼着配置して、回線路識別がし易くてある。この回線路識別用チップ７では、光回線路設備の情報としての配線回路の線番、ルート情報、接続／切換暦情報等が、アダプタ毎に識別されるものであり、該回線路識別用チップ７により、作業現場において各情報のリアルタイムでの読取りをして、その線路情報等を確認した上で、配線切替え作業を行うことができると共に、その情報の更新も行うことができるものを用いる。
また、回線路識別用チップ７は、２次元バーコードまたはＦＲＩＤ素子７１  を単独或いは併用して回線路識別用チップ７とすることができる。例えば、２次元バーコードをアダプタ保持部材９に貼着しないで前記配線側に取付片またはシートを介して取付けたり、アダプタ保持部材９或いはアダプタ側に貼着した上で、かつ配線側にも取付片を介して取付て、さらにＦＲＩＤ素子７１  をアダプタ保持部材９に設けた形態とした併用タイプとすることもできる。
【００１１】
そして、前記ＲＦＩＤ素子素子７１  では、光回線路設備の切替接続情報管理以外にクロージャの外側からでも携帯末端、携帯電話機によって作業に必要な事項を認識できて、工事対応のクロージャをも素早く捜し出して、作業の施工性の簡便化を図れるものを用いるのがよい。
また、このように光ケーブル接続切換用クロージャと携帯末端、携帯電話機との組み合わせによって、リアルタイムな設備情報、工事履歴などの一括管理をもセンター側でも可能なものを用いるのがよく、特に、前記携帯末端が管理センターへアクセスしうるもので、管理センターからの情報の遠隔伝送を受け、該情報の照合をもしうるものであることが望ましい。
そして、光回線路設備での作業終了後に管理センターにアクセスし、回線路識別用チップ７の履歴情報等をアップデイトすることや、アダプタ毎に識別された回線路識別用チップ７によって線路情報等を確認した上で、切替え作業を行うことができることが配慮されている。
【００１２】
更に、この光ケーブル接続切換用クロージャの例では、前記接続用トレイ３が光ケーブル心線を導出入する心線導出入部１０と、該心線導出入部１０から入る心線を支持する心線保持部１１と、該心線相互を接続したコネクタを収納するコネクタ収納部１２と、心線余長を巻回して収納する心線余長収納部１３とを備えていて、該接続用トレイ３の複数を積層して各接続トレイ３をヒンジ部１４で回動自在に連結してあり、クロージャ１の中央に位置する保留心線用トレイ４と引き通し心線用トレイ５の両側にそれぞれ配置して心線接続作業が簡便にできるように配慮してある。
【００１３】
なお、前記保留心線用トレイ４と引き通し心線用トレイ５とをスリーブ内中央に積層して配備し、その両側に前記接続用トレイ３を複数積層して設けると共に、保留心線用トレイ４と引き通し心線用トレイ５との上方にアダプタ保持部材９を配備し、該アダプタ保持部材９は、中央を凸状に折り曲げた平板１５で構成し、この折り曲げ平板１５をヒンジ部１６で回動自在に支持部材１７に連結されたものからなり、スリーブ６内の前記保留心線用トレイ４と引き通し心線用トレイ５の上を開放できる構成とするのが、配線作業、その他の心線の接続作業や接続状況の点検、補修、確認、調整など作業をもきわめて容易に行うことができる。
【００１４】
そして、接続用トレイ３及び保留心線用トレイ４と引き通し心線用トレイ５とは、合成樹脂により一体成形された成形品であり、図１に示すように、略長方形状の外形を有し、各トレイ３，及びトレイ４，５を重ねた状態の心線トレイとして用い、前記トレイ内にガイドリブ或いは心線係止片３０をそれぞれ設けて、トレイ内を区画して、心線をトレイ内に引き廻し、ループ状に巻回させて収納されるものである。
【００１５】
前記スリーブ６としては、角筒或いは円筒状のケーシングを用いてあり、図２乃至図３に示すように上スリーブと下スリーブとに二つ割りに分割するようにし、上下スリーブを脱着用のヒンジ締結具２０（ハンドル付きグリップ）で密封一体化できる構成としたものを用いるのがよい。
このスリーブ６内には、幹線ケーブルａのテンションメンバが固定できるテンションメンバ把持部２１が備えられ、さらに引き上げケーブルｂがケーブル把持部２２を介してテンションメンバ把持部２３で固定できるようにしてある。
この場合、前記接続用トレイ３は、最下段の接続用トレイ３を、下スリーブ内に固着したフレーム２４に設けた取付台２５に載置し配線の分配、整理して収納できるようにするのがよい。
【００１６】
例えば、図４の例示のように固定局線（固定線区画の５年後の需要数に分割損をみこんだ心線）と補助線（需要変動に対する融通性を確保するめ、固定局線の他に設ける心線）と連絡補助線（補助線のうち固定線区画に連絡して設ける補助線）とを配線したクロスコネクト用クロージャの配線例では、２００心の幹線ケーブルａをクロスコネクト用クロージャＮｏ．１において、２つの４０心の固定局線ｃと２つの４０心の補助線ｄとに分岐し、この固定局線ｃは切換アダプタ８を介して引き上げケーブルｂとして導出すると共に、補助線ｄは切換アダプタ８を介して連絡補助線ｅとしてクロスコネクト用クロージャＮｏ．２に導出する。そして、該クロスコネクト用クロージャＮｏ．２においては、前記と同様に幹線ケーブルａを２つの４０心の固定局線ｃ１と、２つの４０心の補助線ｄ１とにさらに分岐し、補助線ｄ１はクロスコネクト用クロージャＮｏ．２において４０心の補助線ｄ１として切換アダプタ８を介して連絡補助線ｅ１によりクロスコネクト用クロージャＮｏ．３に導出する。さらにこのクロスコネクト用クロージャＮｏ．３において、残りの幹線ケーブルａを４０心の固定局線ｃ２と４０心の補助線ｄ２とに分岐して、固定局線ｃ２は、切換アダプタ８を介して引き上げケーブルｂ２として導出すると共に、補助線ｄ２も切換アダプタ８を介して連絡補助線ｅ２としてクロスコネクト用クロージャＮｏ．４に導出する。そしてクロスコネクト用クロージャＮｏ．４においては、幹線ケーブルａを４０心の固定局線ｃ３と４０心の連絡補助線ｅ２を補助線ｄ３とに分岐して、固定局線ｃ３は、切換アダプタ８を介して引き上げケーブルｂ３として導出すると共に、連絡補助線ｅ３は、固定配線区画に配線され、各切換アダプタ８において、光回線路設備での配線点の切換・配線機能を行うことができる。
【００１７】
なお、この実施例では、前記接続用トレイ３は、４〜５段のトレイの多段積層ケースの場合には１トレイ，２０心で８０〜１００心、また１トレイ、４０心では１６０〜２００心の収納トレイとして用いられているので高密度配線に適している。
そしてテープ接続１００心収納や２００心収納のときになど適宜選んで上段から下段に使用（分岐心線使用）でき、また、下段から上段に向けて各段を有効利用することができ、テープ接続心の数量に対応して増設の場合は各トレイの装着を１段最上段に増設することにより適応することができる。
【００１８】
また、前記接続用トレイ３に形成した心線導出入部１１には、分離スリットのある心線挿通孔を設けた弾性保持部材（図示せず）を圧入嵌合して心線の支持を確実にしてあり、この弾性保持部材は心線径或いは心線数に応じた挿通孔のあるナイロンチューブを選んで用いられる。
さらに前記コネクタ収納部１２、心線余長収納部１３は、必要に応じガイドリブ及び側壁を選んで区画してもよいし、心線の浮きを阻止する心線係止片３０或いは係止爪を一体成形して、余長の心線や心線接続部となるコネクタをトレイ内に確実に保持できるようにするか、またコネクタ収納部１２或いは心線余長収納部１３のみを区画したトレイを組合せて一つとした形態としてもよく、各上下段トレイ毎に心線を分離整理収納し、ケーブル挿入部からファイバ心線の曲げが極少で心線収納時のねじれをも防止でき、安全かつ高密度収納で高信頼性が得られるようにすることが配慮される。
【００１９】
この場合、多段に積み重ねられた接続用トレイ３の中から選んだ一つの接続用トレイ３を引き起こして開いて重ね合せ面を開くことができて、接続用トレイ３の内面側が露出されて収納心線の接続配線作業が容易にできる。
【００２０】
即ち、上方の接続用トレイ３のヒンジ１６を支点として一端を回動すれば、下方の接続用トレイ３の上面を開くことができ、該接続用トレイ３内において、分離した心線の接続部の収納や心線余長を収納保管或いは新たな分岐作業並びに配線系の点検、補修、確認、調整など各作業をも統合してきわめて容易に行うことができる。
【００２１】
前記光ケーブル心線の接続用トレイ３及び光ケーブル心線の光ケーブル心線回線データをディジタル化されたうえでパターン表示されている２次元コードまたはＲＦＩＤ素子からなる回線路識別用チップ７は、脱着自在に定着する二つ割りのスリーブ６からなる筒状のクロージャ１内に組み込まれて用いられるが、クロージャ１内のフレーム２４には配線処理ガイド１８、１９と、ケーブル把持金具とテンションメンバ把持具２１、２３とを一体に形成され、ケーブルａ，ｂの配置固定が確実にできるようになっている。
【００２２】
前記クロージャ１のスリーブ６の両端壁の嵌合部に嵌装された端面板を備えたクロージャ１の例で説明すると、端面板をスペーサ（図示せず）を介して、幹線光ケーブルａが貫通されてケーブル把持金具２で固定され、かつ、該ケーブルのテンションメンバが、テンションメンバ把持金具２１に接続連結されている。
また主線光ケーブルａから分岐導出されたテープ心線は、接続用トレイ３に処理されて端面板から導出されて引き通しケーブルｂとして配線される。（図１）
前記スペーサには、ケーブルの挿通用の閉塞孔を多数備え、引落し時に閉塞孔を開口してケーブルをクロージャ外に導出入できるようにしてある。さらに、前記クロージャ１は、分割接合面にガスケットを介在して突き合わせ密封結合するが、スリーブ外側に設けたヒンジ部にループ状リングからなるヒンジ締結具２０によって掛止めて連結一体化するようになっている。
【００２３】
なお、前記接続用トレイ３には曲率半径３０ｍｍ以上を確保して心線の取り回し、収納ができ、各種の接続部、例えば、融着補強スリーブ、メカニカルスプライス、ＭＴコネクタなどの収納可能であって、接続用トレイ３を４段に積層し、各心線トレイ単位で開閉或いは脱着可能に設け、心線余長と心線接続部を一括収納できる。
【００２４】
【発明の効果】
本発明は、スリーブ内中央に保留心線用トレイ４と、引き通し心線用トレイ５とを積層して配備し、その両側に接続用トレイ３を複数積層して設けると共に、前記保留心線用トレイ４と引き通し心線用トレイ４との上方にアダプタ８のあるアダプタ保持部材９を配備し、該アダプタ保持部材９において光ケーブルの各光回線路のアダプタ毎に対応した位置に、前記光ケーブル心線の回線データをディジタル化されたうえでパターン表示されている２次元コードまたはＲＦＩＤ素子からなる回線路識別用チップを配備したことにより、光回線の管理情報を記録、記録データの分配、保存、更新作業の管理を総合的に行ない高密度の配線をリアルタイムに素早く、簡単に読み取れ、光ケーブル配線の心線ごとの接続機能と切換機能とを統合して整理することができ、その収納並びに心線ごとの増減が簡単にでき増設も楽で、心線の使用効率および需要変動対応力を大幅に高めることができるほか、配線の識別を容易にしてサービスオーダーから設計、施工、保守までの各工程の企画、管理の簡易化ができ、しかもアダプタの抜き差し操作による簡易で確実な心線切替えができるし、光回線路設備としての光ケーブル接続切換用クロージャ内の配線の識別を容易にしてサービスオーダーから設計、施工、保守までの各工程の企画、管理の簡易化ができ、さらにアダプタの抜き差し自在の心線切替構造としたことによって簡易で確実な心線切替えができるほか、光回線路設備の線番、ルート情報、接続／切換の接続履歴情報などの設備情報を現場でリアルタイムに更新管理でき、サービスの即応化、低コスト化とが図られるし、管理センターからのデータをもアクセスして設備情報などをアップデートすることも可能で、配線識別にクロージャの外側からでも携帯端末により簡単に読み取れ、工事対応のクロージャを素早く捜し出すことも可能であり、管理作業時間の削減と、現場作業に適した作業が容易に実施できて施工性に優れた光ケーブル接続切換用クロージャとすることができる。
【００２５】
また本発明によれば、光ケーブル接続切換用クロージャに備えた前記接続用トレイが光ケーブル心線を導出入する心線導出入部と、該心線導出入部から入る心線を支持するケーブル把持部と、該心線相互を接続したコネクタを収納するコネクタ収納部と、心線余長を巻回して収納する心線余長収納部とを備え、該接続用トレイの複数を積層して各接続トレイをヒンジ部で回動自在に連結してなることと、前記保留心線用トレイと引き通し心線用トレイとをスリーブ内中央に積層して配備し、その両側に前記接続用トレイを設けると共に、保留心線用トレイと引き通し心線用トレイとの上方にアダプタ保持部材を配備したことにより、心線の接続部の収納や心線余長の収納保管のほか分岐作業並びに配線系の点検、補修確認、調整などの接続配線作業が容易に実施できて施工性に優れ、心線ごとの接続機能と切換機能とを統合して整理することができ、その収納並びに心線ごとの増減が簡単にでき増設も楽で、きわめてコンパクトに接続部を収納することができる取扱い簡便で、信頼性のある光ケーブル接続切換用クロージャにできる。
【００２６】
さらに、本発明によれば、光ケーブル接続用クロージャにおいて、光ケーブル接続切換用クロージャに備えた前記アダプタ保持部材が中央を凸状に折り曲げた平板で構成されヒンジ部で回動自在に支持部に連結され、スリーブ内の前記保留心線用トレイと引き通し心線用トレイ上を開放できる構成としたことで、光ケーブルの接続や切り替え或いは分岐接続作業や再収集作業が容易に実施でき、複層化とした高密度収納構造によって心線ごとの収納や整理のほか心線ごとの増減が簡単にでき増設も楽で、きわめてコンパクトに接続部を安全に収納することができるので、心線接続作業後に任意の収納トレイを開いて収納されている光ファイバ心線を迅速に取り出すことができ、心線識別も容易で接続部の再調整や修理など簡単に行うことができ、その作業性を大幅に向上することができて、確実な切換・配線の施工を行えて、配線管理作業の信頼性も向上すると共に、配線識別にクロージャの外側からでも簡単に読み取れ、工事対応のクロージャを素早く捜し出すことも可能であり、管理作業時間の削減と、現場作業に適した作業が容易に実施できて施工性に優れ、きわめてコンパクトに接続部を収納することができる取扱い簡便な光ケーブル接続切換用クロージャを安価な形態で提供できる。
【図面の簡単な説明】
【図１】  図１は本発明の実施例の一使用状態で、上スリーブを取り除いて内部を表した平面図である。
【図２】  図１の例の光ケーブル接続切換用クロージャの縦断面図である。
【図３】  図１におけるＡ−Ａ線における縦断面図である。
【図４】  図１の例の光ケーブル接続切換用クロージャの使用状態を示す配線図である。
ａ    幹線ケーブル
ｂ    引き上げケーブル
１    クロージャ
２    ケーブル把持部
３    接続用トレイ
４    保留心線用トレイ
５    引き通し心線用トレイ
６    スリーブ
７    回線路識別用チップ
８    アダプタ
９    アダプタ保持部
１０    心線導出入部
１１    心線保持部
１２    コネクタ収納部
１３    心線余長収納部
１４    ヒンジ
１５    平板
１６    ヒンジ
１７    支持部材
２０    ヒンジ締着具
２１    テンションメンバ把持具
２２    ケーブル把持具
２３    テンションメンバ把持具
２４    フレーム
２５    取付台
【図１】
0003857580.tif 000002
【図２】
0003857580.tif 000003
【図３】
0003857580.tif 000004
【図４】
0003857580.tif 000005